(57)【要約】  【課題】  ２個の用紙搬送路が合流する箇所において、用紙に多様に形成される曲がり癖やサイズの異なる用紙に対応した可動ガイドにより、用紙を安定して搬送する。  【解決手段】  用紙案内装置４０は、第１の用紙搬送路である排出用用紙搬送路５０が第２の用紙搬送路である両面印刷用用紙搬送路６０に合流する箇所に配置される。用紙搬送方向と直角をなす用紙幅方向に並べられた複数の可動ガイド４１は、付勢手段であるその質量により、各々常時両面印刷用用紙搬送路６０を通る用紙Ｐの搬送を補助する第２の姿勢を保持する。排出用用紙搬送路５０を用紙Ｐが通る時には、用紙Ｐが各可動ガイド４１に当接することで、付勢手段による付勢力に抗して、各可動ガイド４１が独立して排出用用紙搬送路５０を通る用紙Ｐの搬送を補助する第１の姿勢に姿勢変更せしめられる。各可動ガイド４１は、用紙の曲がり癖や用紙サイズに対応し、独立して姿勢変更する。【選択図】      図７
2006082948.tif 000002
【特許請求の範囲】
【請求項１】
第１の用紙搬送路が第２の用紙搬送路に合流する箇所に設けられ、これら２個の用紙搬送路を通る用紙の搬送を補助するために、姿勢変更が可能であるとともに、用紙搬送方向と直角をなす用紙幅方向に所定の間隔で並べられた複数の可動ガイドを備え、これらの各可動ガイドは、付勢手段により、常時、前記第２の用紙搬送路を通る用紙の搬送を補助する第２の姿勢を保持するものであって、前記第１の用紙搬送路を通して用紙を搬送する時には、搬送される用紙が各可動ガイドに当接することにより、前記付勢手段による付勢力に抗して、各可動ガイドが独立して第１の用紙搬送路を通る用紙の搬送を補助する第１の姿勢に姿勢変更せしめられることを特徴とする用紙案内装置。
【請求項２】
前記付勢手段が、前記可動ガイドの質量であることを特徴とする請求項１に記載の用紙案内装置。
【請求項３】
前記付勢手段が、弾性部材であることを特徴とする請求項１に記載の用紙案内装置。
【請求項４】
前記第１の用紙搬送路の、用紙搬送空間を隔てて、前記可動ガイドと対峙する位置に固定ガイドを備え、可動ガイドは、前記第２の姿勢を保持する時に、その先端が前記固定ガイドに接触することを特徴とする請求項１〜請求項３のいずれか１項に記載の用紙案内装置。
【請求項５】
請求項１〜請求項４のいずれか１項に記載の用紙案内装置を搭載したことを特徴とする画像形成装置。
【発明の詳細な説明】
【技術分野】
【０００１】
本発明は、複写機やプリンタに代表される画像形成装置に適用可能な、カットペーパー等の用紙の案内装置に関する。また、この用紙案内装置を搭載した画像形成装置に関する。
【背景技術】
【０００２】
複写機やプリンタ等の画像形成装置には、給紙部、転写部、定着部、及び両面印刷のための用紙反転部等の構成要素が配置され、これらの間に用紙搬送路が形設されている。このような画像形成装置においては、用紙反転部にスイッチバック方式を採用して用紙の搬送方向を切り替えるものがある。そして、この用紙反転部は、用紙反転部から続く用紙搬送路へ用紙反転部に至る用紙搬送路が合流する、または用紙反転部に至る用紙搬送路から用紙反転部から続く用紙搬送路が分岐するような形になっている。
【０００３】
上記のように、２個の用紙搬送路が合流、または分岐する箇所には、これら２個の用紙搬送路を通る用紙の搬送を補助するために可動ガイドが備えられている。可動ガイドは、その姿勢を変更することにより用紙の搬送方向を切り替え、用紙の搬送を補助するものである。このような可動ガイドを備えた用紙案内装置の例を、特許文献１に見ることができる。
【特許文献１】特開平７−２０６２７５号公報（第２−５頁、図３−４）
【発明の開示】
【発明が解決しようとする課題】
【０００４】
ここで、画像形成装置内を搬送される用紙には、用紙搬送路や転写部、定着部等を通過する間に、曲がり癖がついてしまうことがある。特許文献１に記載の再給紙装置（用紙案内装置）は、一方の面が印刷された用紙をストックする中間トレイに用紙を送り込む際に、用紙搬送方向と直角をなす用紙幅方向に複数個配列された分岐爪（可動ガイド）を用い、これらの分岐爪のうち、用紙幅方向両端部の分岐爪のみを用紙搬送空間の方向に突出させることにより、用紙についた曲がり癖を矯正しようとしている。しかしながら、この分岐爪の突出量は、分岐爪本体に固定された突出板の接着の仕方により決まってしまうので、用紙に多様に形成される曲がり癖に対応することができない。これにより、用紙が、分岐爪に接触していない箇所が部分的に発生することになり、用紙を安定して搬送することができなくなる可能性がある。
【０００５】
また、このような構成の分岐爪において、異なったサイズの用紙を使用する場合、特許文献１に記載のように、突出板を固定することにより用紙搬送空間に突出させた分岐爪の位置を異ならせた分岐爪部を、複数箇所設けなければならない。したがって、部品点数の増加によるコストアップや、設置スペースの拡大による装置の大型化といった問題が発生する恐れがある。
【０００６】
本発明は上記の点に鑑みなされたものであり、２個の用紙搬送路が合流する箇所において、用紙に多様に形成される曲がり癖やサイズの異なる用紙に対応して用紙搬送を補助するとともに、低コスト化、省スペース化が図られた可動ガイドを備え、用紙を安定して搬送することが可能な用紙案内装置を提供することを目的とする。また、このような用紙案内装置を搭載した信頼性の高い画像形成装置を提供することを目的とする。
【課題を解決するための手段】
【０００７】
上記の課題を解決するため、本発明は、第１の用紙搬送路が第２の用紙搬送路に合流する箇所に設けられ、これら２個の用紙搬送路を通る用紙の搬送を補助するために、姿勢変更が可能であるとともに、用紙搬送方向と直角をなす用紙幅方向に所定の間隔で並べられた複数の可動ガイドを備え、これらの各可動ガイドは、付勢手段により、常時、前記第２の用紙搬送路を通る用紙の搬送を補助する第２の姿勢を保持するものであって、前記第１の用紙搬送路を通して用紙を搬送する時には、搬送される用紙が各可動ガイドに当接することにより、前記付勢手段による付勢力に抗して、各可動ガイドが独立して第１の用紙搬送路を通る用紙の搬送を補助する第１の姿勢に姿勢変更せしめられることとした。
【０００８】
また、前記付勢手段が、前記可動ガイドの質量であることとした。
【０００９】
また、前記付勢手段が、弾性部材であることとした。
【００１０】
また、前記第１の用紙搬送路の、用紙搬送空間を隔てて、前記可動ガイドと対峙する位置に固定ガイドを備え、可動ガイドは、前記第２の姿勢を保持する時に、その先端が前記固定ガイドに接触することとした。
【００１１】
また本発明では、上記用紙案内装置を画像形成装置に搭載することとした。
【発明の効果】
【００１２】
本発明の構成によれば、第１の用紙搬送路が第２の用紙搬送路に合流する箇所に、用紙幅方向に所定の間隔で設けられた複数の可動ガイドが、付勢手段により、常時、第２の用紙搬送路を通る用紙の搬送を補助する第２の姿勢を保持するものであって、第１の用紙搬送路を通して用紙を搬送する時には、搬送される用紙が各可動ガイドに当接することにより、付勢手段による付勢力に抗して、各可動ガイドが独立して第１の用紙搬送路を通る用紙の搬送を補助する第１の姿勢に姿勢変更せしめられることとしたので、搬送される用紙の推進力を利用して、用紙が第１の用紙搬送路を通る時のみ、可動ガイドを第１の姿勢に姿勢変更することができる。この時、各可動ガイドは、用紙に曲がり癖が多様に形成されたとしても、用紙サイズが異なる場合であっても、それらに対応した箇所の可動ガイドが独立して姿勢変更し、用紙が可動ガイドに接触していない箇所の発生を防止することができる。これにより、用紙が第１の用紙搬送路を通り過ぎた後に、用紙の搬送方向を切り替えて第２の用紙搬送路を搬送しても、用紙の端部が可動ガイドの先端に引っ掛かることはない。したがって、２個の用紙搬送路が合流する箇所において、いずれの用紙搬送路を用紙が通る場合においても、用紙を安定して搬送することが可能となる。また、用紙幅方向に所定の間隔で設けられた、上記のような複数の可動ガイドは、１箇所設けるだけで、多様な曲がり癖や異なる用紙サイズに対応して用紙搬送を補助することができる。したがって、装置の低コスト化、省スペース化が可能である。
【００１３】
また、上記用紙案内装置において、付勢手段が、可動ガイドの質量であることとしたので、可動ガイド自体を付勢手段として使用でき、別途付勢手段を用意して取り付ける必要がない。したがって、構造の簡素化を図ることができ、装置の低コスト化、省スペース化をさらに高めることが可能である。
【００１４】
また、付勢手段が、弾性部材であることとしたので、ばね等の安価な部材により、可動ガイドが第２の姿勢に姿勢変更する方向へと、容易に可動ガイドを付勢することができる。したがって、装置をできるだけ低コスト、省スペースに抑えることが可能となる。
【００１５】
また、第１の用紙搬送路の、用紙搬送空間を隔てて、可動ガイドと対峙する位置に固定ガイドを備え、可動ガイドは、第２の姿勢を保持する時に、その先端が固定ガイドに接触することとしたので、用紙が第２の用紙搬送路を通る時に、用紙の端部が可動ガイドの先端に引っ掛かることを確実に防止することができる。したがって、用紙を、第２の用紙搬送路を通して搬送する際に、搬送の安定性をさらに高めることが可能となる。
【００１６】
また本発明では、上記用紙案内装置を画像形成装置に搭載することとしたので、２個の用紙搬送路が合流する箇所において、用紙に多様に形成される曲がり癖やサイズの異なる用紙に対応し、低コスト化、省スペース化が図られた可動ガイドを備え、用紙を安定して搬送することが可能な信頼性の高い画像形成装置を得ることができる。
【発明を実施するための最良の形態】
【００１７】
以下、本発明の実施形態を図１〜図８に基づき説明する。
【００１８】
最初に、本発明の用紙案内装置を搭載した画像形成装置について、図１を用いてその構造の概略を説明しつつ、画像出力動作を説明する。図１は、本発明の実施形態に係る画像形成装置を示す模型的垂直断面正面図である。なお、図中の実線矢印は用紙の搬送経路、及び搬送方向を示し、一点鎖線矢印はレーザ光Ｌを示す。
【００１９】
図１において、画像形成装置１の本体２の下部には、給紙部３が配置されている。給紙部３の内部には、印刷前のカットペーパー等の用紙Ｐが積載して収容され、ここから１枚ずつ分離して用紙Ｐが送り出される。
【００２０】
本体２の内部であって、給紙部３の左方には、用紙搬送部４が備えられている。給紙部３から送り出された用紙Ｐは、用紙搬送部４により本体２の側面に沿って垂直上方に搬送され、後述する転写部９に至る。
【００２１】
一方、画像形成装置１の上面には原稿送り部５が、その下方には原稿画像読み取り部６が備えられている。使用者が原稿の複写を行う場合には、原稿送り部５に、文字や図形、模様等の画像が描かれた原稿を積載する。原稿送り部５では１枚ずつ分離して原稿が送り出され、原稿画像読み取り部６によってその画像データが読み取られる。この画像データの情報は、給紙部３の上方であって、本体２の中央部に配置されたレーザ照射部７に送られる。レーザ照射部７により、画像データに基づいて制御されたレーザ光Ｌが、後述する画像形成部８に向かって照射される。
【００２２】
用紙搬送部４の上方であって、レーザ照射部７の左方には、画像形成部８、及び転写部９が備えられている。画像形成部８では、レーザ照射部７によって照射されたレーザ光Ｌにより原稿画像の静電潜像が作られる。この静電潜像からトナー像が形成され、トナー像は、前記用紙搬送部４によって同期をとって送られてきた印刷前の用紙Ｐに、転写部９にて転写される。
【００２３】
転写部９の上方には、定着部１０が備えられている。転写部９にて未定着トナー像を担持した用紙Ｐは、定着部１０へと送られ、定着ローラによりトナー像が加熱されて定着される。
【００２４】
定着部１０の上方には、分岐部２０が備えられている。定着部１０から排出された用紙Ｐは、両面印刷を行わない場合には、分岐部２０から画像形成装置１の胴内に設けられた用紙排出トレイ１１に排出される。
【００２５】
分岐部２０から用紙排出トレイ１１に向かって用紙Ｐが排出されるその排出口部分は、スイッチバック部３０としての機能を果たす。両面印刷を行う場合には、このスイッチバック部３０において、定着部１０から排出された用紙Ｐの搬送方向が切り替えられる。そして、用紙Ｐは、定着部１０、及び転写部９の左方を通って下方に送られ、再度用紙搬送部４を経て転写部９へと送られる。
【００２６】
このような分岐部２０において、定着部１０から排出された用紙Ｐを用紙排出トレイ１１に向かって搬送したり、スイッチバック部３０で搬送方向が切り替えられた用紙Ｐを再度転写部９の方へと搬送したりする個所に、本発明の用紙案内装置４０が設けられている。
【００２７】
次に、本発明の第１の実施形態に係る用紙案内装置４０周辺の詳細な構成について、図１に加えて、図２〜図４を用いて説明する。図２は用紙案内装置周辺を示す模型的垂直断面部分拡大図、図３は可動ガイドの斜視図、図４は可動ガイドと排出用用紙搬送路とを示す模型的断面図にして、用紙搬送方向下流側から見たものである。なお、図２において、実線矢印は用紙の搬送経路、及び搬送方向を示す。
【００２８】
図２に示すように、用紙案内装置４０は、分岐部２０に備えられ、第１の用紙搬送路である排出用用紙搬送路５０が、第２の用紙搬送路である両面印刷用用紙搬送路６０に合流する箇所に配置されている。用紙案内装置４０には、可動ガイド４１、下側ガイド４２、及び上側ガイド４３が備えられている。
【００２９】
可動ガイド４１は、合流する排出用用紙搬送路５０と両面印刷用用紙搬送路６０との間に設けられている。下側ガイド４２は、排出用用紙搬送路５０の、用紙搬送空間を隔てて、可動ガイド４１と対峙する位置に設けられている。上側ガイド４３は、両面印刷用用紙搬送路６０の、用紙搬送空間を隔てて、可動ガイド４１と対峙する位置に設けられている。これら下側ガイド４２、及び上側ガイド４３は、本体２に固定された固定ガイドである。
【００３０】
図３、及び図４に示すように、可動ガイド４１は、用紙搬送方向と直角をなす用紙幅方向に所定の間隔で複数個並べられており、この一連の可動ガイド４１は、排出用用紙搬送路５０、及び両面印刷用用紙搬送路６０とほぼ同じ長さを有する。可動ガイド４１は、合成樹脂で構成され、用紙Ｐを振り分け易くするために、用紙幅方向と直角をなす断面形状がくさび形をなしている。これら複数の可動ガイド４１は、用紙幅方向に延びる共通の支軸４１ａを備え、この支軸４１ａにより本体２に回転自在に支持されている。支軸４１ａは、鉄等の金属で構成されている。可動ガイド４１は、支軸４１ａを中心として垂直面内で回転することにより、上記２個の用紙搬送路を通る用紙Ｐの搬送を補助するための姿勢変更が可能である。そして、これら複数の可動ガイド４１は、各々が独立して姿勢変更できる。
【００３１】
複数の可動ガイド４１は、可動ガイド１４自体の質量が付勢手段となって、図２において、可動ガイド４１が時計方向に回転するように付勢されている。そして、各可動ガイド４１は、図示しないストッパの作用により、図２に示す位置を超えて時計方向に回転することはなく、常時、第２の用紙搬送路である両面印刷用用紙搬送路６０を通る用紙Ｐの搬送を補助する第２の姿勢を保持している。なお、この付勢手段である可動ガイド１４の質量は、搬送される用紙Ｐが当接することにより、各可動ガイド４１が図２において反時計方向に回転することを妨げない程度の質量を有する。
【００３２】
スイッチバック部３０には、排出ローラ３１、及び排出口３２が備えられている。排出ローラ３１は、互いに接触するローラのペアにより構成され、用紙Ｐが用紙排出トレイ１１（図１参照）に向かって排出される排出口３２近傍に備えられている。用紙Ｐは、排出ローラ３１を構成するペアローラが当接して形成されるニップに挿通され、排出ローラ３１を回転させることにより用紙排出トレイ１１へと送り出される。排出ローラ３１は、図示しない駆動手段により回転せしめられる。
【００３３】
続いて、用紙案内装置４０による用紙Ｐの案内動作について、図２、及び図４に加えて、図５〜図７を用いて説明する。図５は図２と同様の用紙案内装置周辺を示す模型的垂直断面部分拡大図にして、一部の可動ガイドが第１の姿勢にある状態を示すもの、図６は図４と同様の可動ガイドと排出用用紙搬送路とを示す模型的断面図にして、一部の可動ガイドが第１の姿勢にある状態を示すもの、図７は図６と同様の可動ガイドと排出用用紙搬送路とを示す模型的断面図にして、搬送路幅より小さいサイズの用紙を搬送している状態を示すものである。
【００３４】
画像形成装置１において、画像出力動作を実行し、用紙Ｐを用紙排出トレイ１１に向かって搬送する時、用紙案内装置４０の可動ガイド４１は、可動ガイド４１自体の質量を付勢手段として、図２、及び図４に示す第２の姿勢にある。したがって、用紙Ｐは、当初各可動ガイド４１の排出用用紙搬送路５０側の下部４１ｂと、下側ガイド４２とにガイドされるようにして下方から排出用用紙搬送路５０に進入する。
【００３５】
続いて用紙Ｐの搬送が進み、用紙Ｐが、各可動ガイド４１の排出用用紙搬送路５０側の上部４１ｃに当接する。これにより、一部の可動ガイド４１は、図５、及び図６に示すように、第１の用紙搬送路である排出用用紙搬送路５０を通る用紙Ｐの搬送を補助する第１の姿勢に姿勢変更せしめられる。
【００３６】
ここで、図６は、用紙幅方向中央部が可動ガイド４１側に膨らんだ形で曲がり癖がついた用紙Ｐを搬送している状態を描いている。すなわち、用紙幅方向中央部の可動ガイド４１は第２の姿勢（図４参照）に対して変位量が大きく、両端部の可動ガイド４１の変位量は小さい。このようにして、各可動ガイド４１が第１の姿勢に姿勢変更する時のその変位量は、用紙Ｐについた曲がり癖に対応して変化するとともに、用紙Ｐの幅方向両端間において、全ての可動ガイド４１が用紙Ｐに当接する。例えば、排出用用紙搬送路５０の幅よりも小さいサイズの用紙Ｐを搬送する場合であっても、図７に示すように、その幅方向両端間において、全ての可動ガイド４１が用紙Ｐに当接する。
【００３７】
なお、用紙Ｐが可動ガイド４１に接触しながら搬送されている間、用紙Ｐは、付勢手段である可動ガイド４１の質量の作用により、可動ガイド４１から下側ガイド４２側に押されるような力を受けている。
【００３８】
さらに用紙Ｐの搬送が進むと、用紙Ｐは、排出ローラ３１のニップに挿通され、用紙排出トレイ１１に向かって送り出される。そして、用紙Ｐが可動ガイド４１から離れる時、可動ガイド４１の質量の作用により可動ガイド４１から下側ガイド４２側に力を受ける用紙Ｐの用紙搬送方向上流端は、上方に跳ね上がるようにして可動ガイド４１による押え付けから逃れることになる。したがって、このまますぐにスイッチバック動作を実行して、用紙Ｐの搬送方向を切り替えたとしても、用紙Ｐの上流端は可動ガイド４１の先端４１ｄに引っ掛かることはない。
【００３９】
このようにして、第１の用紙搬送路である排出用用紙搬送路５０が第２の用紙搬送路である両面印刷用用紙搬送路６０に合流する箇所に、用紙幅方向に所定の間隔で設けられた複数の可動ガイド４１が、付勢手段により、常時、両面印刷用用紙搬送路６０を通る用紙Ｐの搬送を補助する第２の姿勢を保持するものであって、排出用用紙搬送路５０を通して用紙Ｐを搬送する時には、搬送される用紙Ｐが各可動ガイド４１に当接することにより、付勢手段である可動ガイド４１自体の質量による付勢力に抗して、各可動ガイド４１が独立して排出用用紙搬送路５０を通る用紙Ｐの搬送を補助する第１の姿勢に姿勢変更せしめられるので、搬送される用紙Ｐの推進力を利用して、用紙Ｐが排出用用紙搬送路５０を通る時のみ、可動ガイド４１を第１の姿勢に姿勢変更することができる。この時、各可動ガイド４１は、用紙Ｐに曲がり癖が多様に形成されたとしても、用紙サイズが異なる場合であっても、それらに対応した箇所の可動ガイド４１が独立して姿勢変更し、用紙Ｐが可動ガイドに接触していない箇所の発生を防止することができる。これにより、用紙Ｐが排出用用紙搬送路５０を通り過ぎた後に、用紙Ｐの搬送方向を切り替えて両面印刷用用紙搬送路６０を搬送しても、用紙Ｐの上流端が可動ガイド４１の先端４１ｄに引っ掛かることはない。したがって、２個の用紙搬送路が合流する箇所において、いずれの用紙搬送路を用紙Ｐが通る場合においても、用紙Ｐを安定して搬送することが可能となる。また、用紙幅方向に所定の間隔で設けられた、上記のような複数の可動ガイド４１は、１箇所設けるだけで、多様な曲がり癖や異なる用紙サイズに対応して用紙搬送を補助することができる。したがって、用紙案内装置４０の低コスト化、省スペース化が可能である。
【００４０】
また、上記用紙案内装置４０において、可動ガイド４１を姿勢変更させる付勢手段が、可動ガイド４１の質量であるので、可動ガイド４１自体を付勢手段として使用でき、別途付勢手段を用意して取り付ける必要がない。したがって、構造の簡素化を図ることができ、装置の低コスト化、省スペース化をさらに高めることが可能である。
【００４１】
なお、上記付勢手段は、コイルばねや板ばね、ゴム、スポンジ等で形成された弾性部材であっても構わない。この場合、ばね等の安価な部材により、可動ガイド４１が第２の姿勢に姿勢変更する方向へと、容易に可動ガイド４１を付勢することができるので、装置をできるだけ低コスト、省スペースに抑えることが可能となる。
【００４２】
また本実施形態では、上記用紙案内装置４０を画像形成装置１に搭載したので、２個の用紙搬送路が合流する箇所において、用紙Ｐに多様に形成される曲がり癖やサイズの異なる用紙Ｐに対応し、低コスト化、省スペース化が図られた可動ガイド４１を備え、用紙Ｐを安定して搬送することが可能な信頼性の高い画像形成装置１を得ることができる。
【００４３】
次に、本発明の第２の実施形態に係る用紙案内装置４０周辺の詳細な構成について、図８を用いて説明する。図８は、用紙案内装置周辺を示す模型的垂直断面部分拡大図である。なお、この実施形態の基本的構成は、前記図１〜図７に示す第１の実施形態と同じであるので、第１の実施形態と共通する構成要素には前と同じ符号を付し、説明は省略するものとする。
【００４４】
図８に示すように、第２の実施形態において、用紙案内装置４０に備えられた固定ガイドである下側ガイド４２は、第１の実施形態同様、排出用用紙搬送路５０の、用紙搬送空間を隔てて、可動ガイド４１と対峙する位置に設けられている。そして、複数の可動ガイド４１は各々、図８に示す第２の姿勢を保持する時に、その先端４１ｄが下側ガイド４２に接触している。
【００４５】
このようにして、第１の用紙搬送路である排出用用紙搬送路５０の、用紙搬送空間を隔てて、可動ガイド４１と対峙する位置に固定ガイドである下側ガイド４２を備え、可動ガイド４１は、第２の姿勢を保持する時に、その先端４１ｄが下側ガイド４２に接触するので、用紙Ｐが両面印刷用用紙搬送路６０を通る時に、用紙Ｐの上流端が可動ガイド４１の先端４１ｄに引っ掛かることを確実に防止することができる。したがって、用紙Ｐを、両面印刷用用紙搬送路６０を通して搬送する際に、搬送の安定性をさらに高めることが可能となる。
【００４６】
以上、本発明の実施形態につき説明したが、本発明の範囲はこれに限定されるものではなく、発明の主旨を逸脱しない範囲で種々の変更を加えて実施することができる。
【産業上の利用可能性】
【００４７】
本発明は、２個の用紙搬送路が合流する箇所が設けられた画像形成装置全般において利用可能である。
【図面の簡単な説明】
【００４８】
【図１】本発明の実施形態に係る用紙案内装置を搭載した画像形成装置を示す模型的垂直断面正面図である。
【図２】図１の用紙案内装置周辺を示す模型的垂直断面部分拡大図である。
【図３】図２の可動ガイドの斜視図である。
【図４】図２の可動ガイドと排出用用紙搬送路とを示す模型的断面図にして、用紙搬送方向下流側から見たものである。
【図５】図２と同様の用紙案内装置周辺を示す模型的垂直断面部分拡大図にして、一部の可動ガイドが第１の姿勢にある状態を示すものである。
【図６】図４と同様の可動ガイドと排出用用紙搬送路とを示す模型的断面図にして、一部の可動ガイドが第１の姿勢にある状態を示すものである。
【図７】図６と同様の可動ガイドと排出用用紙搬送路とを示す模型的断面図にして、搬送路幅より小さいサイズの用紙を搬送している状態を示すものである。
【図８】本発明の第２の実施形態に係る用紙案内装置周辺を示す模型的垂直断面部分拡大図である。
【符号の説明】
【００４９】
１    画像形成装置
２    本体
１１  用紙排出トレイ
２０  分岐部
３０  スイッチバック部
４０  用紙案内装置
４１  可動ガイド
４１ａ  支軸
４１ｄ  先端
４２  下側ガイド
４３  上側ガイド
５０  排出用用紙搬送路（第１の用紙搬送路）
６０  両面印刷用用紙搬送路（第２の用紙搬送路）
【図１】
2006082948.tif 000003
【図２】
2006082948.tif 000004
【図３】
2006082948.tif 000005
【図４】
2006082948.tif 000006
【図５】
2006082948.tif 000007
【図６】
2006082948.tif 000008
【図７】
2006082948.tif 000009
【図８】
2006082948.tif 000010